(57)【特許請求の範囲】
【請求項１】
電話機間において電話番号だけで文字情報の送受信を可能とするＳＭＳ（Ｓｈｏｒｔ  Ｍｅｓｓａｇｅ  Ｓｅｒｖｉｃｅ）配信システムと、
マルチメディアの送信元である第１の電話機に前記ＳＭＳ配信システムを利用して自装置のアドレスを通知する手段と、前記第１の電話機から送信されてきた前記マルチメディアを保存する保存手段と、前記ＳＭＳ配信システムを利用して送られてきた前記マルチメディアの送信先である第２の電話機のアドレス宛に前記保存手段に保存した前記マルチメディアを送信する手段とを含むＳＭＳ拡張サービス提供装置と、
前記電話機間で一定条件の通話がなされたか否かを判定する接続処理装置と、
前記電話機の加入者情報を管理しかつ前記接続処理装置の判定結果を前記加入者情報の通話履歴として記憶する加入者データ管理装置とを含み、
前記ＳＭＳ配信システムは、前記加入者データ管理装置に記憶された前記加入者情報の通話履歴に基づいて前記マルチメディアの配信が可能な相手か否かを前記第１の電話機に通知することを特徴とするマルチメディア通信システム。
【請求項２】
前記電話機が、携帯電話機及び固定電話機のうちの少なくとも一方であることを特徴とする請求項１記載のマルチメディア通信システム。
【請求項３】
ＳＭＳ拡張サービス提供装置が、
電話機間において電話番号だけで文字情報の送受信を可能とするＳＭＳ（Ｓｈｏｒｔ  Ｍｅｓｓａｇｅ  Ｓｅｒｖｉｃｅ）配信システムを利用してマルチメディアの送信元である第１の電話機に前記ＳＭＳ拡張サービス提供装置のアドレスを通知する処理と、
前記第１の電話機から送信されてきた前記マルチメディアを保存手段に保存する処理と、
前記ＳＭＳ配信システムを利用して送られてきた前記マルチメディアの送信先である第２の電話機のアドレス宛に前記保存手段に保存した前記マルチメディアを送信する処理とを実行し、
マルチメディア通信システムに、前記電話機間で一定条件の通話がなされたか否かを判定する接続処理装置と、前記電話機の加入者情報を管理しかつ前記接続処理装置の判定結果を前記加入者情報の通話履歴として記憶する加入者データ管理装置とを設け、
前記ＳＭＳ配信システムが、前記加入者データ管理装置に記憶された前記加入者情報の通話履歴に基づいて前記マルチメディアの配信が可能な相手か否かを前記第１の電話機に通知することを特徴とするマルチメディア通信方法。
【請求項４】
前記電話機が、携帯電話機及び固定電話機のうちの少なくとも一方であることを特徴とする請求項３記載のマルチメディア通信方法。
【発明の詳細な説明】
【技術分野】
【０００１】
本発明はマルチメディア配信システム及びそれに用いるマルチメディア通信方法に関し、特に携帯電話機間におけるマルチメディア（データ）のやり取りに関する。
【背景技術】
【０００２】
近年、携帯電話機の普及率が一人一台以上となってきているが、携帯電話機の利用にあたり、操作がわからない、操作が面倒等の理由によって、電子メール等の通話以外の通信サービスを使わないユーザがいる。
【０００３】
また、携帯電話機の電話番号を知っていても、電子メールアドレスを知らない相手がいることがあり、そういった相手に対して写真や動画等のマルチメディアを送りたい場合、携帯電話機の電話番号のみで文字情報（テキストデータ）を送るＳＭＳだけでは不十分な場合もある。
【０００４】
電話番号以外の通信方法がわからないことが、通話以外の通信サービス利用促進の弊害となっているため、電話番号だけでマルチメディアをやり取りする仕組みの需要があると考えられる。
【０００５】
そのため、電話番号だけでマルチメディアをやり取りすることができるＭＭＳ（Ｍｕｌｔｉｍｅｄｉａ  Ｍｅｓｓａｇｉｎｇ  Ｓｅｒｖｉｃｅ）という機能を備えた携帯電話機も登場している（例えば、特許文献１参照）。尚、ＭＭＳは、ＳＭＳの機能を拡張したものであり、対応する端末間でのみ利用可能となっている。
【先行技術文献】
【特許文献】
【０００６】
【特許文献１】特開２００５−２０２９７２号公報
【発明の概要】
【発明が解決しようとする課題】
【０００７】
上述した本発明に関連する携帯電話機では、ＭＭＳの機能を備えていれば、携帯端末間において電話番号だけでマルチメディアをやり取りすることができるが、携帯電話機がＭＭＳに対応していない、つまりＳＭＳの機能にしか備えていなければ、マルチメディアをやり取りすることはできない。
【０００８】
また、電話番号だけでマルチメディアを送付できるとした場合、上記のＳＭＳより用途が広がることで、迷惑メールの増大が懸念されるため、迷惑メールを考慮した実現方法とすることが必要となる。
【０００９】
そこで、本発明の目的は上記の問題点を解消し、電話機にＳＭＳの機能しか備えていなくとも、マルチメディアをやり取りすることができるマルチメディア通信システム及びそれに用いるマルチメディア通信方法を提供することにある。
【課題を解決するための手段】
【００１０】
本発明によるマルチメディア通信システムは、電話機間において電話番号だけで文字情報の送受信を可能とするＳＭＳ（Ｓｈｏｒｔ  Ｍｅｓｓａｇｅ  Ｓｅｒｖｉｃｅ）配信システムと、
マルチメディアの送信元である第１の電話機に前記ＳＭＳ配信システムを利用して自装置のアドレスを通知する手段と、前記第１の電話機から送信されてきた前記マルチメディアを保存する保存手段と、前記ＳＭＳ配信システムを利用して送られてきた前記マルチメディアの送信先である第２の電話機のアドレス宛に前記保存手段に保存した前記マルチメディアを送信する手段とを含むＳＭＳ拡張サービス提供装置と、
前記電話機間で一定条件の通話がなされたか否かを判定する接続処理装置と、
前記電話機の加入者情報を管理しかつ前記接続処理装置の判定結果を前記加入者情報の通話履歴として記憶する加入者データ管理装置とを含み、
前記ＳＭＳ配信システムは、前記加入者データ管理装置に記憶された前記加入者情報の通話履歴に基づいて前記マルチメディアの配信が可能な相手か否かを前記第１の電話機に通知することを特徴とする。
【００１２】
本発明によるマルチメディア通信方法は、ＳＭＳ拡張サービス提供装置が、
電話機間において電話番号だけで文字情報の送受信を可能とするＳＭＳ（Ｓｈｏｒｔ  Ｍｅｓｓａｇｅ  Ｓｅｒｖｉｃｅ）配信システムを利用してマルチメディアの送信元である第１の電話機に前記ＳＭＳ拡張サービス提供装置のアドレスを通知する処理と、
前記第１の電話機から送信されてきた前記マルチメディアを保存手段に保存する処理と、
前記ＳＭＳ配信システムを利用して送られてきた前記マルチメディアの送信先である第２の電話機のアドレス宛に前記保存手段に保存した前記マルチメディアを送信する処理とを実行し、
マルチメディア通信システムに、前記電話機間で一定条件の通話がなされたか否かを判定する接続処理装置と、前記電話機の加入者情報を管理しかつ前記接続処理装置の判定結果を前記加入者情報の通話履歴として記憶する加入者データ管理装置とを設け、
前記ＳＭＳ配信システムが、前記加入者データ管理装置に記憶された前記加入者情報の通話履歴に基づいて前記マルチメディアの配信が可能な相手か否かを前記第１の電話機に通知することを特徴とする。
【発明の効果】
【００１３】
本発明は、上記のような構成及び動作とすることで、電話機にＳＭＳの機能しか備えていなくとも、携帯電話機間でマルチメディアをやり取りすることができるという効果が得られる。
【図面の簡単な説明】
【００１４】
【図１】本発明の第１の実施の形態によるマルチメディア通信システムの構成例を示すブロック図である。
【図２】図１のＳＭＳ拡張サービス提供装置の構成例を示すブロック図である。
【図３】本発明の第１の実施の形態によるマルチメディア通信システムの動作例を示す図である。
【図４】本発明の第２の実施の形態によるマルチメディア通信システムの構成例を示すブロック図である。
【図５】本発明の第２の実施の形態によるマルチメディア通信システムの動作例を示すシーケンスチャートである。
【図６】本発明の第２の実施の形態によるマルチメディア通信システムの動作例を示すシーケンスチャートである。
【発明を実施するための形態】
【００１５】
次に、本発明の実施の形態について図面を参照して説明する。まず、本発明によるマルチメディア通信システムの概要について述べる。本発明によるマルチメディア通信システムでは、電話番号だけで文字の送受信が可能となるＳＭＳ（Ｓｈｏｒｔ  Ｍｅｓｓａｇｅ  Ｓｅｒｖｉｃｅ：ショートメッセージサービス）の仕組みを利用し、サービス判断材料やサービス実現に必要となる情報だけをやりとりし、送信側の携帯電話機（Ａ）３から見て電話番号だけで通話以外の通信サービスを利用することを可能としている。
【００１６】
これによって、本発明によるマルチメディア通信システムでは、携帯電話機にＳＭＳの機能しか備えていなくとも、携帯電話機間でマルチメディアをやり取りすることができるという効果が得られる。
【００１７】
図１は本発明の第１の実施の形態によるマルチメディア通信システムの構成例を示すブロック図である。図１において、マルチメディア通信システム１００は、送信側の携帯電話機（Ａ）３と受信側の携帯電話機（Ｂ）４との間に配設され、送信側の携帯電話機（Ａ）３から見て電話番号だけで通話以外の通信サービスを実現可能とするＳＭＳ拡張サービス提供装置１と、ＳＭＳの送受信を実現するＳＭＳ配信システム２とから構成されている。
【００１８】
図２は図１のＳＭＳ拡張サービス提供装置１の構成例を示すブロック図である。図２において、ＳＭＳ拡張サービス提供装置１は、データの保存及び入出力を制御する制御部１１と、マルチメディアのデータの送受信を行うデータ入出力部１２と、携帯電話機（Ａ）３と携帯電話機（Ｂ）４との間で送受信したいマルチメディアのデータや制御部１１が実行するプログラム等を記憶する記憶部１３とから構成されている。
【００１９】
図３は本発明の第１の実施の形態によるマルチメディア通信システム１００の動作例を示す図である。これら図１〜図３を参照して本発明の第１の実施の形態によるマルチメディア通信システム１００の動作について説明する。尚、図３においては、送信側の携帯電話機（Ａ）３から受信側の携帯電話機（Ｂ）４へのマルチメディアの送信要求が出され、携帯電話機（Ｂ）４からマルチメディアの配信が可能であることが通知された後の動作を示している。
【００２０】
尚、ＳＭＳ配信システム２による携帯電話機（Ａ）３と携帯電話機（Ｂ）４との間のＳＭＳのやり取りについては、本発明に直接関係しないので、その説明を省略する。このＳＭＳのやり取りについては、特開２００５−２３７００８号公報（特許文献２）の明細書の段落「００３３」等に開示されている。
【００２１】
上記のマルチメディアの配信が可能である状態において、ＳＭＳ拡張サービス提供装置１の制御部１１は、送信側の携帯電話機（Ａ）３に対して、ＳＭＳ配信システム２を利用して自システムのアドレスを通知する［図３の（１）参照］。
【００２２】
送信側の携帯電話機（Ａ）３は、ＳＭＳ拡張サービス提供装置１から通知されてきたアドレス宛てに、受信側の携帯電話機（Ｂ）４へのマルチメディア（データ）を送信する［図３の（２）参照］。
【００２３】
ＳＭＳ拡張サービス提供装置１の制御部１１は、送信側の携帯電話機（Ａ）３から送られてきたマルチメディア（データ）を記憶部１３に保存する［図３の（３）参照］。この時、ＳＭＳ配信システム２は、送信側の携帯電話機（Ａ）３からＳＭＳ拡張サービス提供装置１にマルチメディア（データ）が送られてきたことを受信側の携帯電話機（Ｂ）４に通知する。
【００２４】
一方、受信側の携帯電話機（Ｂ）４は、ＳＭＳ配信システム２からのデータ送信通知に応答して、自端末においてマルチメディア（データ）を受信するのであれば、ＳＭＳ配信システム２に対して受信通知信号を送るとともに、ＳＭＳ配信システム２を利用してＳＭＳ拡張サービス提供装置１に対して、自端末のアドレス（電子メールのアドレス）を通知する［図３の（４）参照］。
【００２５】
ＳＭＳ拡張サービス提供装置１の制御部１１は、通知されてきた受信側の携帯電話機（Ｂ）４のアドレス宛てに、記憶部１３に保存した送信側の携帯電話機（Ａ）３からのマルチメディア（データ）を送信する［図３の（５）参照］。
【００２６】
このように、本実施の形態では、携帯電話機（Ａ）３及び携帯電話機（Ｂ）４にＳＭＳの機能しか備えていなくとも、携帯電話機（Ａ）３と携帯電話機（Ｂ）４との間でマルチメディアをやり取りすることができる。
【００２７】
したがって、本実施の形態では、相手先の電話番号を知っているだけで利用することが可能となるため、ユーザが容易に多様なサービスを利用することができる。
【００２８】
また、本実施の形態では、電話番号しか知らないために通話しかしなかったユーザに対し、通話以外の通信サービスを促進することができるため、通信事業者にとっての通信サービス収入を増大させることができる。
【００２９】
図４は本発明の第２の実施の形態によるマルチメディア通信システムの構成例を示すブロック図である。図４において、マルチメディア通信システム２００は、送信側の携帯電話機（Ａ）３と受信側の携帯電話機（Ｂ）４との間に配設され、送信側の携帯電話機（Ａ）３から見て電話番号だけで通話以外の通信サービスを実現可能とするＳＭＳ拡張サービス提供装置１と、ＳＭＳの送受信を実現するＳＭＳ配信システム２と、加入者データを管理する加入者データ管理装置５と、通常の携帯電話通話を実現する接続処理装置６とから構成されている。
【００３０】
ＳＭＳ拡張サービス提供装置１は、ＳＭＳ配信システム２でその役割を包括することも可能である。携帯電話端末は、送信側の携帯電話機（Ａ）３及び受信側の携帯電話機（Ｂ）４とする。尚、ＳＭＳ拡張サービス提供装置１及びＳＭＳ配信システム２は、上記の本発明の第１の実施の形態によるマルチメディア通信システム１００を構成するＳＭＳ拡張サービス提供装置１及びＳＭＳ配信システム２と同様の構成及び動作であるので、それらの説明については省略する。
【００３１】
図５及び図６は本発明の第２の実施の形態によるマルチメディア通信システム２００の動作例を示すシーケンスチャートである。これら図４〜図６を参照して本発明の第２の実施の形態によるマルチメディア通信システム２００の動作について説明する。
【００３２】
まず、本実施の形態では、送信側の携帯電話機（Ａ）３と受信側の携帯電話機（Ｂ）４との間で予め通常の通話を行っておく必要がある。携帯電話機（Ａ）３から携帯電話機（Ｂ）４に通常の発信処理を行うため、携帯電話機（Ａ）３が携帯電話機（Ｂ）４への発信処理を行い、接続処理装置６へ携帯電話機（Ｂ）４への接続信号を送信する（図５のａ１）。
【００３３】
次に、接続処理装置６は、加入者データ管理装置５に携帯電話機（Ｂ）４の情報（相手先情報）を問い合わせて（図５のａ２）、携帯電話機（Ｂ）４の情報（相手先情報）を取得し（図５のａ３）、携帯電話機（Ｂ）４への接続処理信号を送信する（図５のａ４）。
【００３４】
携帯電話機（Ｂ）４は、その接続処理信号を受信すると、着信処理を行い、通話可能となったことを知らせる信号（通話可能信号）を接続処理装置６に返信する（図５のａ５）。接続処理装置６は、その通話可能信号を携帯電話機（Ａ）３に返信する（図５のａ６）。これによって、携帯電話機（Ａ）３と携帯電話機（Ｂ）４との間では、通話が開始される（図５のａ７）。
【００３５】
通話終了後、接続処理装置６は、送信側の携帯電話機（Ａ）３と受信側の携帯電話機（Ｂ）４との間で十分な会話がなされたと判定した場合（通話時間判定で十分な通話時間と判定した場合）（図５のａ８）、その旨を加入者データ管理装置５に通知する。
【００３６】
加入者データ管理装置５は、携帯電話機（Ａ）３と携帯電話機（Ｂ）４との間でＳＭＳ拡張サービスが利用できる状態に変更するように加入者データを更新する（図５のａ９）。
【００３７】
一方、接続処理装置６は、携帯電話機（Ａ）３と携帯電話機（Ｂ）４との間の通話が極端に短い場合（通話時間判定で通話時間が短いと判定した場合）、通常の通話終了時と同様に終了するので、加入者データ管理装置５による加入者データの更新は行われない。
【００３８】
本実施の形態によるサービス利用例について説明する。本実施の形態によるマルチメディア通信システム２００では、まず、携帯電話機（Ａ）３にて携帯電話機（Ｂ）４に対し、送付したいデータを選択する。この時、携帯電話機（Ａ）３では、携帯電話機（Ｂ）４を電話番号で指定する。
【００３９】
その後、携帯電話機（Ａ）３は、ＳＭＳ配信システム２に対し、通常のＳＭＳの仕組みを利用し、携帯電話機（Ｂ）４へのデータ送付を要求する信号（データ送付要求信号）を送信する（図５のａ１０）。
【００４０】
ＳＭＳ配信システム２は、送付先の加入者が通常のＳＭＳが送信可能な相手なのかどうか、送信可能な場合に、本発明のサービスであるＳＭＳを利用しての拡張サービスが利用可能な相手なのかどうかを加入者データ管理装置５に問い合わせて（図５のａ１１）、相手先情報を取得する（図５のａ１２）。ＳＭＳ配信システム２は、その相手先情報に基づいて配信可能な相手か否かを携帯電話機（Ａ）３に通知し、配信可能な場合、配信に必要な情報（ＳＭＳ拡張サービス提供装置１のアドレス）をあわせて通知する（図５のａ１３）。
【００４１】
携帯電話機（Ａ）３は、ＳＭＳ配信システム２からの情報に基づいてＳＭＳ拡張サービスが利用可能な相手か否かを判定し（図６のａ１４）、ＳＭＳ拡張サービスが利用できない場合（利用可能判定で不可能と判定した場合）、エラーを表示して処理を終了する。
【００４２】
携帯電話機（Ａ）３は、ＳＭＳ拡張サービスが利用可能な場合（利用可能判定で可能と判定した場合）、携帯電話機（Ｂ）４に送信するデータ（マルチメディアのデータ）をＳＭＳ拡張サービス提供装置１に送信する（図６のａ１５）。
【００４３】
ＳＭＳ拡張サービス提供装置１は、携帯電話機（Ａ）３からのデータの受信が完了した後、ＳＭＳ配信システム２にデータ容量の情報とあわせてデータ受信完了を通知する（図６のａ１６）。
【００４４】
ＳＭＳ配信システム２は、携帯電話機（Ｂ）４に対し、携帯電話機（Ａ）３からデータが送信されていることやそのデータを受信するための情報のみ（データ送信通知信号）を送信する（図６のａ１７）。
【００４５】
携帯電話機（Ｂ）４は、送付元とデータ容量情報とに基づいて携帯電話機（Ａ）３からのデータを受信するか否かを決定する（図６のａ１８）。携帯電話機（Ｂ）４は、データを受信しない場合（受信可否判定で受信拒否と判定した場合）、ＳＭＳ配信システム２に受信拒否を通知する（図６のａ１９）。
【００４６】
ＳＭＳ配信システム２は、携帯電話機（Ａ）３に対して、送信相手［携帯電話機（Ｂ）４］に受信が拒否された旨（受信拒否通知信号）を通知する（図６のａ２０）。
【００４７】
携帯電話機（Ｂ）４は、携帯電話機（Ａ）３から送信されたデータを受信する場合（受信可否判定で受信可と判定した場合）、受信する旨の通知（受信通知信号）［＋携帯電話機（Ｂ）４のアドレス］をＳＭＳ配信システム２に返信する（図６のａ２１）。
【００４８】
ＳＭＳ配信システム２は、携帯電話機（Ｂ）４からの受信通知を受け、ＳＭＳ拡張サービス提供装置１に携帯電話機（Ａ）３より受信したデータを携帯電話機（Ｂ）４に送信する指示（送信指示信号）を、データ送信に必要な情報［携帯電話機（Ｂ）４のアドレス］とあわせて送信する（図６のａ２２）。
【００４９】
ＳＭＳ拡張サービス提供装置１は、ＳＭＳ配信システム２からの通知に基づいて携帯電話機（Ａ）３から受信したマルチメディア（データ）を携帯電話機（Ｂ）４へ送信する（図６のａ２３）。
【００５０】
携帯電話機（Ｂ）４は、ＳＭＳ拡張サービス提供装置１からのマルチメディア（データ）の受信が完了した後、完了（データ受信完了信号）をＳＭＳ配信システム２に通知する（図６のａ２４）。ＳＭＳ配信システム２は、送信完了（通信完了通知信号）を携帯電話機（Ａ）３に通知する（図６のａ２５）。
【００５１】
このように、本実施の形態では、送信側の携帯電話機（Ａ）３から電話番号だけで文字の送受信が可能となるＳＭＳの仕組みを利用し、サービス判断材料やサービス実現に必要となる情報だけをやりとりすることで、送信側の携帯電話機（Ａ）３から電話番号だけで通話以外の通信サービスを実現することができる。
【００５２】
その際、本実施の形態では、一定条件の通話履歴がある相手でなければマルチメディアの送付ができない仕組みをとることで、つまり一定条件の通話履歴がなければマルチメディアの送付を不可とすることで、全く知らない相手からの迷惑メールを回避することができる。
【産業上の利用可能性】
【００５３】
本発明は、携帯電話機間の通信の用途に適用することができる。また、本発明は、複数の携帯電話機に対してデータを送信したい場合においても、ＳＭＳ配信の仕組みを複数の相手への送信に対応させることで、適用することができる。さらに、本発明は、携帯電話機だけでなく、固定電話機においてもＳＭＳ送受信に対応させることで、適用することができる。
【符号の説明】
【００５４】
１  ＳＭＳ拡張サービス提供装置
２  ＳＭＳ配信システム
３  送信側の携帯電話機（Ａ）
４  受信側の携帯電話機（Ｂ）
５  加入者データ管理装置
６  接続処理装置
１１  制御部
１２  データ入出力部
１３  記憶部
１００，２００  マルチメディア通信システム
【図１】
0005423336.tif 000002
【図２】
0005423336.tif 000003
【図３】
0005423336.tif 000004
【図４】
0005423336.tif 000005
【図５】
0005423336.tif 000006
【図６】
0005423336.tif 000007